(57)【要約】  ユーザー要求に基づく通信サービス・クラス業務を実現する。発呼ユーザーは、少なくとも現在通信サービス・クラスに対するユーザーの要求情報を含む発呼要求を発信する。ネットワーク設備は、発呼要求を受信して、発呼要求中の現在通信サービス・クラスの要求情報を検出し、発呼側のユーザー-ネットワーク・インタフェースが、通信サービス・クラスを提供する能力を備えるか否かを判断し、備える場合、上記要求情報とネットワーク資源の使用状況を分析して、現在発呼の通信サービス・クラスに関する策略情報を得て、該策略情報に従って、発呼側にユーザー-ネットワーク資源を分配して、発呼端末と着呼端末は通話接続を行う。備えない場合、上記要求情報に応答しない。本発明は、異なる状況において、同一の発呼ユーザーの発呼要求を通じて、通信サービス・クラスに対する同一発呼ユーザーの異なる要求を満足することができ、その操作も便利で簡単である。
2008533768.tif 000002
【特許請求の範囲】
【請求項１】
発呼端末と着呼端末が同一のネットワークに属し、発呼ユーザー要求に基づいて通信サービス・クラス業務を実現する方法であって、下記のステップが含まれている；
ステップ1：発呼ユーザーは発呼要求を発信し、上記発呼要求には、少なくとも現在通信サービス・クラスに対するユーザーの要求情報が含まれている；
ステップ2：ネットワーク・設備は、当該発呼要求を受信して、発呼要求中の現在通信サービス・クラスの要求情報を検出し、発呼側のユーザー-ネットワーク・インタフェースに、通信サービス・クラスを提供する能力を備えるかどうかを判断し、備える場合、現在通信サービス・クラスの要求情報とネットワーク資源の使用状況を総合的に分析して、分析結果に従って、現在発呼の通信サービス・クラスに関する策略情報を得て、ステップ4を実行し；備えない場合、次のステップを実行する；
ステップ3：ネットワーク・設備は、現在通信サービス・クラスの要求情報に対して応答せず、ステップ5を実行する；
ステップ4：上記ネットワーク・設備は、現在発呼の通信サービス・クラスに関する策略情報に従って、発呼側にユーザー-ネットワーク資源を分配して、次のステップを実行する；
ステップ5：発呼端末と着呼端末は、分配されたネットワーク資源に従って、通話接続を行う、ことを特徴とする発呼ユーザー要求に基づいて通信サービス・クラス業務を実現する方法。
【請求項２】
上記ステップ3には、具体的に下記のステップが含まれている；
ステップ3a：上記ネットワーク・設備は、着呼側のユーザー-ネットワーク・インタフェースに、通信サービス・クラスを提供する能力を備えているかどうかを判断し、備える場合、現在通信サービス・クラスの要求情報とネットワーク資源の使用状況を総合的に分析して、分析結果に従って、現在発呼の通信サービス・クラスに関する策略情報を得て、ステップ3ｂを実行し；備えない場合、ネットワーク・設備は、現在通信サービス・クラスの要求情報に対して応答せず、ステップ5を実行する；
ステップ3ｂ：上記ネットワーク・設備は、現在発呼の通信サービス・クラスに関する策略情報に従って、着呼側にユーザー-ネットワーク資源を分配して、ステップ5を実行する、ことを特徴とする請求項1に記載の発呼ユーザー要求に基づいて通信サービス・クラス業務を実現する方法。
【請求項３】
上記ネットワーク・設備には、発呼側のネットワーク・設備と着呼側のネットワーク・設備が含まれ、上記ステップ2、3、4中のネットワーク・設備は、発呼側のネットワーク・設備であって、上記ステップ3a、3ｂ中のネットワーク・設備は、着呼側のネットワーク・設備であって、上記ステップ3aの前には、更に下記のステップが含まれる；
ステップa：上記発呼側のネットワーク・設備は、発呼側のネットワークと着呼側のネットワーク間のネットワーク-ネットワーク・インタフェースに、通信サービス・クラス業務のインターオペラビリティを備えるかどうかを判断し、備える場合、現在通信サービス・クラスの要求情報とネットワーク資源の使用状況を総合的に分析して、分析結果に従って、現在発呼の通信サービス・クラスに関する策略情報を得て、次のステップを実行し、且つ着呼側のネットワーク・設備に現在通信サービス・クラスの要求情報を送信し；備えない場合、ステップ5或いはステップ3aを実行する；
ステップｂ：上記発呼側のネットワーク・設備は、現在発呼の通信サービス・クラスに関する策略情報に従って、ネットワーク-ネットワーク資源を分配して、ステップ5或いはステップ3aを実行する、ことを特徴とする請求項2に記載の発呼ユーザー要求に基づいて通信サービス・クラス業務を実現する方法。
【請求項４】
上記発呼ユーザーにより発信した発呼要求中の現在通信サービス・クラスに対するユーザーの要求情報を報告する方式は、アクセス番号・プレフィックスを付けてダイヤルする方式、或いは、ユーザー-ネットワーク・インタフェースにおいてのインタフェース・シグナリングを通じて報告する方式である、ことを特徴とする請求項1乃至3の何れかに記載の発呼ユーザー要求に基づいて通信サービス・クラス業務を実現する方法。
【請求項５】
上記アクセス番号・プレフィックスを付けてダイヤルする方式は、発呼要求を発信する毎に、発呼ユーザーにより、着呼番号前にアクセス番号・プレフィックスを一つ一つ手仕事で入力する、ことを特徴とする請求項4に記載の発呼ユーザー要求に基づいて通信サービス・クラス業務を実現する方法。
【請求項６】
上記アクセス番号・プレフィックスを付けてダイヤルする方式は、下記の通りである、
ユーザーは、端末に設置されている、通信サービス・クラスを配置することができるメニュー或いはボタンを通じて、付けてダイヤルしようとするアクセス番号を設置し；発呼ユーザーが、発呼要求を発信する時、発呼端末は、通信サービス・クラスの設置を検出し、もし、アクセス番号・プレフィックスを付けてダイヤルする必要があると設置される場合、発呼端末は、着呼番号を送信する時、当該着呼番号の前に当該番号・プレフィックスを自動的に加入する、ことを特徴とする請求項4に記載の発呼ユーザー要求に基づいて通信サービス・クラス業務を実現する方法。
【請求項７】
上記ユーザー-ネットワーク・インタフェースにおいてのインタフェース・シグナリングを通じて報告する方式は、下記の通りである；
ユーザーは、端末に設置されている、通信サービス・クラスを配置することができるメニュー或いはボタンを通じて、現在の通信サービス・クラスを設置し、一回目に設置した後、或いは現在設置を変更した後、端末により、ユーザー-ネットワーク・インタフェース・シグナリングを通じて、現在通信サービス・クラスの要求をネットワーク・設備に報告する、ことを特徴とする請求項4に記載の発呼ユーザー要求に基づいて通信サービス・クラス業務を実現する方法。
【請求項８】
現在発呼の通信サービス・クラスの要求情報は、インタフェース・シグナリング中のパラメータ値であることを特徴とする請求項4又は7に記載の発呼ユーザー要求に基づいて通信サービス・クラス業務を実現する方法。
【請求項９】
現在の発呼に資源を分配するための上記現在発呼の通信サービス・クラスに関する策略情報には、発呼が受入れる優先度、或いは、ボイス又はビデオ・メディアのコードレート、或いは、通信パケットの転送優先度、或いは、廃棄順序、或いは、上記各情報の何れの組み合わせが含まれている、ことを特徴とする請求項1乃至3の何れかに記載の発呼ユーザー要求に基づいて通信サービス・クラス業務を実現する方法。
【請求項１０】
発呼端末と着呼端末が異なるネットワークに属し、発呼ユーザー要求に基づいて通信サービス・クラス業務を実現する方法であって、下記のステップを含んでいる；
ステップ10：発呼ユーザーは発呼要求を発信し、上記発呼要求には、少なくとも現在通信サービス・クラスに対するユーザーの要求情報が含まれている；
ステップ20：発呼側のネットワーク・設備は、当該発呼要求を受信して、発呼要求中の現在通信サービス・クラスの要求情報を検出し、発呼側のユーザー-ネットワーク・インタフェースに、通信サービス・クラスを提供する能力を備えるかどうかを判断し、備える場合、現在通信サービス・クラスの要求情報とネットワーク資源の使用状況を総合的に分析して、分析結果に従って、現在発呼の通信サービス・クラスに関する策略情報を得て、ステップ40を実行し；備えない場合、ステップ30を実行する；
ステップ30：発呼側のネットワーク・設備は、現在通信サービス・クラスの要求情報に対して応答せず、ステップ50を実行する；
ステップ40：上記発呼側のネットワーク・設備は、現在発呼の通信サービス・クラスに関する策略情報に従って、ユーザー-ネットワーク資源を分配する；
ステップ50：発呼端末と着呼端末は、分配されたネットワーク資源に従って、通話接続を行う、ことを特徴とする発呼ユーザー要求に基づいて通信サービス・クラス業務を実現する方法。
【請求項１１】
上記ステップ30には、具体的に下記のステップが含まれている；
ステップ30a：上記発呼側のネットワーク・設備は、発呼側のネットワークと着呼側のネットワーク間のネットワーク-ネットワーク・インタフェースに、通信サービス・クラス業務のインターオペラビリティを備えるかどうかを判断し、備える場合、現在通信サービス・クラスの要求情報とネットワーク資源の使用状況を総合的に分析して、分析結果に従って、現在発呼の通信サービス・クラスに関する策略情報を得て、ステップ30ｂを実行し、且つ着呼側のネットワーク・設備に現在通信サービス・クラスの要求情報を送信し；備えない場合、発呼側のネットワーク・設備は、当該現在通信サービス・クラスの要求情報に対して応答せず、ステップ50を実行する；
ステップ30ｂ：上記発呼側のネットワーク・設備は、現在発呼の通信サービス・クラスに関する策略情報に従って、ネットワーク-ネットワーク資源を分配して、ステップ50を実行する、ことを特徴とする請求項10に記載の発呼ユーザー要求に基づいて通信サービス・クラス業務を実現する方法。
【請求項１２】
上記ステップ30aにおいて、発呼側のネットワーク・設備は、発呼側のネットワークと着呼側のネットワーク間のネットワーク-ネットワーク・インタフェースに、通信サービス・クラス業務のインターオペラビリティを備えないと判断した時、及び/或いは上記ステップ30ｂにおいてステップ50を実行する前に、更に、下記のステップが含まれる；
ステップa：上記着呼側のネットワーク・設備は、着呼側のユーザー-ネットワーク・インタフェースに通信サービス・クラスを提供する能力を備えるかどうかを判断し、備える場合、現在通信サービス・クラスの要求情報とネットワーク資源の使用状況を総合的に分析して、分析結果に従って、現在発呼の通信サービス・クラスに関する策略情報を得て、次のステップを実行し；備えない場合、ネットワーク・設備は、当該現在通信サービス・クラスの要求情報に対して応答せず、ステップ50を実行する；
ステップｂ：上記着呼側のネットワーク・設備は、現在発呼の通信サービス・クラスに関する策略情報に従って、着呼側にユーザー-ネットワーク資源を分配して、ステップ50を実行する、ことを特徴とする請求項11に記載の発呼ユーザー要求に基づいて通信サービス・クラス業務を実現する方法。
【請求項１３】
上記発呼ユーザーにより発信した発呼要求中の現在通信サービス・クラスに対するユーザーの要求情報を報告する方式は、アクセス番号・プレフィックスを付けてダイヤルする方式、或いは、ユーザー-ネットワーク・インタフェースにおいてのインタフェース・シグナリングを通じて報告する方式である、ことを特徴とする請求項10乃至12の何れかに記載の発呼ユーザー要求に基づいて通信サービス・クラス業務を実現する方法。
【請求項１４】
上記アクセス番号・プレフィックスを付けてダイヤルする方式は、発呼要求を発信する毎に、発呼ユーザーにより、着呼番号前にアクセス番号・プレフィックスを一つ一つ手仕事で入力する、ことを特徴とする請求項13に記載の発呼ユーザー要求に基づいて通信サービス・クラス業務を実現する方法。
【請求項１５】
上記アクセス番号・プレフィックスを付けてダイヤルする方式は、下記の通りである、
ユーザーは、端末に設置されている、通信サービス・クラスを配置することができるメニュー或いはボタンを通じて、付けてダイヤルしようとするアクセス番号を設置し；発呼ユーザーが、発呼要求を発信する時、発呼端末は、通信サービス・クラスの設置を検出し、もし、アクセス番号・プレフィックスを付けてダイヤルする必要があると設置される場合、発呼端末は、着呼番号を送信する時、当該着呼番号の前に当該番号・プレフィックスを自動的に加入する、ことを特徴とする請求項13に記載の発呼ユーザー要求に基づいて通信サービス・クラス業務を実現する方法。
【請求項１６】
上記ユーザー-ネットワーク・インタフェースにおいてのインタフェース・シグナリングを通じて報告する方式は、下記の通りである；
ユーザーは、端末に設置されている、通信サービス・クラスを配置することができるメニュー或いはボタンを通じて、現在の通信サービス・クラスを設置し、一回目に設置した後、或いは現在設置を変更した後、端末により、ユーザー-ネットワーク・インタフェースにおいてのインタフェース・シグナリングを通じて、現在通信サービス・クラスの要求をネットワーク・設備に報告する、ことを特徴とする請求項13に記載の発呼ユーザー要求に基づいて通信サービス・クラス業務を実現する方法。
【請求項１７】
上記ステップ30aにおいて、発呼側のネットワーク・設備が、着呼側のネットワーク・設備に現在通信サービス・クラスの要求情報を送信する方式は、着呼番号の前に上記アクセス番号・プレフィックスを加入する方式、或いは、発呼接続の過程において、発呼側のネットワーク・設備により、ネットワーク-ネットワーク・インタフェースにおいてのインタフェース・シグナリングを通じて、着呼側のネットワーク設備に現在発呼の通信サービス・クラスの要求情報を送信する方式である、ことを特徴とする請求項11に記載の発呼ユーザー要求に基づいて通信サービス・クラス業務を実現する方法。
【発明の詳細な説明】
【技術分野】
【０００１】
本発明は、通信サービス・クラス業務を実現する方法に関し、特に、ユーザー要求に基づいて通信サービス・クラス業務を実現する方法に関する。
【背景技術】
【０００２】
現在、ユーザーに通信サービス・クラス業務を提供する方法は、一般的に二種類がある。その一種類は、ユーザータイプに基づいて通信サービス・クラス業務を実現する方法であって、他の一種類は、発呼ユーザー(caller)がアクセス番号プレフィックスを付けてダイヤルすることに基づいて通信サービス・クラス業務を実現する方法である。
【０００３】
第一種類の方法において、事業者は、ＧＳＭ等の移動通信ネットワーク中のモバイル・ユーザーに対して分類し、ユーザータイプ毎に一定する優先度が対応されている。相応するユーザータイプは、クライアント・サービス・システム（或いは業務営業支援システム（Business Operation Support System））の操作を通じて、ユーザー・データ管理システムの中に設置される。コア・ネットワーク或いはスイッチ・ネットワーク・設備は、ユーザーに対してモビリティ管理を行う過程において、ユーザー・データ管理システムからモバイル・ユーザーのユーザータイプを獲得し、移動通信ネットワークが、モバイル・ユーザーに、当該ユーザーを発呼ユーザー或いは着呼ユーザー(called party)とする通信サービスを提供する時、コア・ネットワーク或いはスイッチ・ネットワーク・設備は、モバイル・ユーザーのユーザータイプ及び現在使用されている移動端末の支援能力に対して総合的に分析した後、当該ユーザーと対応する通信サービス・クラスに関する情報（例えば、チャネル・タイプ、コードレート等）をワイヤレス・アクセス・ネットワーク・設備に通知する。優先度によって、分配されるチャネル・コード方式が違う原則に従って、高負荷の場合も、ワイヤレス・アクセス・ネットワーク設備は、当該ユーザーの通信サービス・クラスに関する情報に従って、対応するワイヤレスネットワーク資源を分配する。ワイヤレス・アクセス・ネットワークの資源が緊張しても、移動通信ネットワークは、高いクラスのユーザーに対して、高いコードレートのワイヤレス・アクセス業務を優先的に提供し、当該方法の実現原理は図1に示している。
【０００４】
当該方法は、ユーザーに通信サービス・クラス業務を提供することを実現することができるが、下記のような不足点がある。ユーザーが、あるユーザータイプに設定された後、それを発呼ユーザー或いは着呼ユーザーとして通話する時、当該ユーザータイプに相応する通信サービス・クラスに従って通信することだけない。しかしながら、ユーザーに対しては、異なる状況において、異なる通信サービス・クラスに従って通話する必要がある。そのユーザータイプを変化しようとする場合、クライアント・サービス・システム或いは業務営業支援システムの操作を通じて、ユーザー・データ管理システムの中で設置する必要があり、ユーザーの要求に従って、通話毎に対してリアル・タイム的に通信サービス・クラスを設置することができない。
【０００５】
第二種類の方法において、事業者は、ある特別なアクセス番号を設置して、発呼ユーザーから着呼番号をダイヤルする時、上記アクセス番号をダイヤルした着呼番号のプレフィックスとするかどうかを選択することができる。図2に示したように、発呼ユーザーが着呼番号をダイヤルする時、上記アクセス番号・プレフィックスを付けないままダイヤルする場合、発呼側のネットワーク・設備は、発呼ユーザーからの発呼要求（call−request）を受信した後、今回発呼（call）をＴＤＭに基づいてキャリアした通信ネットワーク（或いは回線交換ネットワークとも言える）に接続して疎通する。今回通話に対して、発呼側のネットワーク・設備と着呼側のネットワーク・設備間の通信サービス・ネットワークは、回線交換ネットワークである。発呼ユーザーが着呼番号をダイヤルする時、上記アクセス番号・プレフィックスを付けてダイヤルする場合、発呼側のネットワーク・設備は、発呼ユーザーからの発呼要求を受信した後、今回発呼を、発呼ユーザーがダイヤルしたアクセス番号・プレフィックスと対応する、パケット・ネットワーク（IPネットワーク或いはATMネットワーク等）に基づいてキャリアした通信ネットワークに接続して疎通する。今回通話に対して、発呼側のネットワーク・設備と着呼側のネットワーク・設備間の通信サービス・ネットワークは、パケット・ネットワークに基づいてキャリアした通信ネットワークである。
【０００６】
発呼側のネットワーク・設備と着呼側のネットワーク・設備の間に、パケット・ネットワークに基づいてキャリアした複数の通信ネットワークを有して、サービスを提供する場合に対して、事業者は、通常対応的に複数のアクセス番号・プレフィックスを設置する。発呼側のネットワーク・設備は、発呼ユーザーからの発呼要求を受信した後、今回発呼を、発呼ユーザーが現在付けてダイヤルしたアクセス番号・プレフィックスと対応する、パケット・ネットワークに基づいてキャリアした通信ネットワークに接続して疎通する。
【０００７】
発呼側の設備は、発呼ユーザーがダイヤルした着呼番号にアクセス番号・プレフィックスが付いてダイヤルしたかどうか、どのアクセス番号・プレフィックスが付いてダイヤルしたかを検出することにより、着呼側のネットワーク・設備間との通信サービス・ネットワークを相応的に選択する。異なる通信サービス・ネットワークによって、通信サービス品質も異なるので、発呼ユーザーは、異なるダイヤル方式により、今回通話の通信サービス・クラスを選択することができる。例えば、着呼番号の前にアクセス番号・プレフィックスを付けてダイヤルするかどうか、どのアクセス番号・プレフィックスを付けてダイヤルするか等を通じて、今回通話の通信サービス・クラスを選択することができる。
【０００８】
しかしながら、この方法にも不足点がある。発呼側のネットワーク・設備と着呼側のネットワーク・設備間の通信サービスが同一の通信ネットワークにより提供される場合、当該方法によれば、発呼ユーザーは、異なるダイヤル方式（着呼番号の前にアクセス番号・プレフィックスを付けてダイヤルするかどうか、どのアクセス番号・プレフィックスを付けてダイヤルするか等）を通じて今回通話の通信サービス・ネットワークを選択することができなくなる。従って、異なるダイヤル方式を通じて今回通話の通信サービス・クラスを選択することができなくなる。
【０００９】
発呼端末と発呼側のネットワーク・設備間の通信サービスが唯一の一つの通信ネットワークにより提供される場合、及び着呼端末と着呼側のネットワーク・設備間の通信サービスが唯一の一つの通信ネットワークにより提供される場合、当該方法によれば、発呼ユーザーは、異なるダイヤル方式によって、今回通話の発呼端末と発呼側のネットワーク・設備間或いは着呼端末と着呼側のネットワーク・設備間の通信サービス・ネットワークを選択することができない。従って、異なるダイヤル方式を通じて今回通話の発呼側及び着呼側においての通信サービス・クラスを選択することができなくなる。
【発明の開示】
【発明が解決しようとする課題】
【００１０】
本発明は、従来技術の不足に対して、発呼端末と着呼端末が同一のネットワーク或いは異なるネットワークに属する時、異なる発呼状況において、通信サービス・クラスに対する発呼ユーザーの異なる要求を満足するための、ユーザー要求に基づいて通信サービス・クラス業務を実現する方法を提供することにその目的がある。
【課題を解決するための手段】
【００１１】
本発明の目的は、下記の技術手段により実現する。
本発明は、ユーザー要求に基づいて通信サービス・クラス業務を実現する方法を提供し、係る発呼端末と着呼端末が同一のネットワークに属する場合、下記のステップが含まれている；
ステップ1：発呼ユーザーは発呼要求を発信し、上記発呼要求には、少なくとも現在通信サービス・クラスに対するユーザーの要求情報が含まれている；
ステップ2：ネットワーク・設備は、当該発呼要求を受信して、発呼要求中の現在通信サービス・クラスの要求情報を検出し、発呼側のユーザー-ネットワーク・インタフェースに、通信サービス・クラス化を提供する能力を備えるかどうかを判断し、備える場合、現在通信サービス・クラスの要求情報とネットワーク資源の使用状況を総合的に分析して、分析結果に従って、現在発呼の通信サービス・クラスに関する策略情報を得て、ステップ4を実行し；備えない場合、ステップ3を実行する；
ステップ3：ネットワーク・設備は、現在通信サービス・クラスの要求情報に対して応答せず、ステップ5を実行する；
ステップ4：上記ネットワーク・設備は、現在発呼の通信サービス・クラスに関する策略情報に従って、発呼側にユーザー-ネットワーク資源を分配して、次のステップを実行する；
ステップ5：発呼端末と着呼端末は、分配されたネットワーク資源に従って、通話接続を行う。
【００１２】
その中で、ステップ3には、具体的に下記のステップが含まれている：
ステップ3a：上記ネットワーク・設備は、着呼側のユーザー-ネットワーク・インタフェースに、通信サービス・クラスを提供する能力を備えているかどうかを判断し、備える場合、現在通信サービス・クラスの要求情報とネットワーク資源の使用状況を総合的に分析して、分析結果に従って、現在発呼の通信サービス・クラスに関する策略情報を得て、次のステップを実行し；備えない場合、ネットワーク・設備は、現在通信サービス・クラスの要求情報に対して応答せず、ステップ5を実行する；
ステップ3ｂ：上記ネットワーク・設備は、現在発呼の通信サービス・クラスに関する策略情報に従って、着呼側にユーザー-ネットワーク資源を分配して、ステップ5を実行する。
【００１３】
上記ネットワーク・設備が、発呼側のネットワーク・設備と着呼側のネットワーク・設備に分かれる場合、上記ステップ2、3、4中のネットワーク・設備は、発呼側のネットワーク・設備であって、上記ステップ3a、3ｂ中のネットワーク・設備は、着呼側のネットワーク・設備であって、上記ステップ3aの前には更に下記のステップが含まれる：
ステップa：上記発呼側のネットワーク・設備は、発呼側のネットワークと着呼側のネットワーク間のネットワーク-ネットワーク・インタフェースに通信サービス・クラス化業務のインターオペラビリティを備えるかどうかを判断し、備える場合、現在通信サービス・クラスの要求情報とネットワーク資源の使用状況を総合的に分析して、分析結果に従って、現在発呼の通信サービス・クラスに関する策略情報を得て、次のステップを実行し、且つ着呼側のネットワーク・設備に現在通信サービス・クラスの要求情報を送信し；備えない場合、ステップ5或いはステップ3aを実行する；
ステップｂ：上記発呼側のネットワーク・設備は、現在発呼の通信サービス・クラスに関する策略情報に従って、ネットワーク-ネットワーク資源を分配して、ステップ5或いはステップ3aを実行する。
【００１４】
上記発呼端末と着呼端末が異なるネットワークに属する場合、ユーザー要求に基づいて通信サービス・クラス化業務を実現する方法には、下記のステップが含まれている；
ステップ10：発呼ユーザーは発呼要求を発信し、上記発呼要求には、少なくとも現在通信サービス・クラスに対するユーザーの要求情報が含まれている；
ステップ20：発呼側のネットワーク・設備は、当該発呼要求を受信して、発呼要求中の現在通信サービス・クラスの要求情報を検出し、発呼側のユーザー-ネットワーク・インタフェースに、通信サービス・クラスを提供する能力を備えるかどうかを判断し、備える場合、現在通信サービス・クラスの要求情報とネットワーク資源の使用状況を総合的に分析して、分析結果に従って、現在発呼の通信サービス・クラスに関する策略情報を得る；
ステップ30：備えない場合、発呼側のネットワーク・設備は、現在通信サービス・クラスの要求情報に対して応答せず、ステップ50を実行する；
ステップ40：上記発呼側のネットワーク・設備は、現在発呼の通信サービス・クラスに関する策略情報に従って、ユーザー-ネットワーク資源を分配して、次のステップを実行する；
ステップ50：発呼端末と着呼端末は、分配されたネットワーク資源に従って、通話接続を行う。
【００１５】
その中で、上記ステップ30には、具体的に下記のステップが含まれている；
ステップ30a：上記発呼側のネットワーク・設備は、発呼側のネットワークと着呼側のネットワーク間のネットワーク-ネットワーク・インタフェースに、通信サービス・クラス業務のインターオペラビリティを備えるかどうかを判断し、備える場合、現在通信サービス・クラスの要求情報とネットワーク資源の使用状況を総合的に分析して、分析結果に従って、現在発呼の通信サービス・クラスに関する策略情報を得て、次のステップを実行し、且つ着呼側のネットワーク・設備に現在通信サービス・クラスの要求情報を送信し；備えない場合、発呼側のネットワーク・設備は、当該現在通信サービス・クラスの要求情報に対して応答せず、ステップ50を実行する；
ステップ30ｂ：上記発呼側のネットワーク・設備は、現在発呼の通信サービス・クラスに関する策略情報に従って、ネットワーク-ネットワーク資源を分配して、ステップ50を実行する。
【００１６】
なお、上記ステップ30aにおいて、発呼側のネットワーク・設備は、発呼側のネットワークと着呼側のネットワーク間のネットワーク-ネットワーク・インタフェースに、通信サービス・クラス業務のインターオペラビリティを備えないと判断した時、及び/或いは上記ステップ30ｂにおいてステップ50を実行する前に、更に、下記のステップが含まれる；
ステップa：上記着呼側のネットワーク・設備は、着呼側のユーザー-ネットワーク・インタフェースに通信サービス・クラス化を提供する能力を備えるかどうかを判断し、備える場合、現在通信サービス・クラスの要求情報とネットワーク資源の使用状況を総合的に分析して、分析結果に従って、現在発呼の通信サービス・クラスに関する策略情報を得て、次のステップを実行し；備えない場合、ネットワーク・設備は、当該現在通信サービス・クラスの要求情報に対して応答せず、ステップ50を実行する；
ステップｂ：上記着呼側のネットワーク・設備は、現在発呼の通信サービス・クラスに関する策略情報に従って、着呼側にユーザー-ネットワーク資源を分配して、ステップ50を実行する。
【００１７】
上記発呼ユーザーにより発信した発呼要求中の現在通信サービス・クラスに対するユーザーの要求情報を報告する方式は、アクセス番号・プレフィックスを付けてダイヤルする方式、或いは、ユーザー-ネットワーク・インタフェースにおいてのインタフェース・シグナリングを通じて報告する方式である。
【００１８】
本発明は、発呼端末と発呼側のネットワーク・設備間の通信サービスが一つの通信ネットワークにより提供される場合、或いは着呼端末と着呼側のネットワーク・設備間の通信サービスが一つの通信ネットワークにより提供される場合、或いは発呼側のネットワーク・設備と着呼側のネットワーク・設備間の通信サービスも一つの通信ネットワークにより提供される場合、即ち、発呼端末と着呼端末が一つ或いは異なるネットワークに属しても、発呼側或いは着呼側に、ユーザー-ネットワーク資源、或いは発呼側のネットワーク・設備と着呼側のネットワーク・設備間のネットワーク-ネットワーク資源を分配することにより、異なる発呼状況において、同一の発呼ユーザーの発呼要求を通じて、通信サービス・クラスに対する同一の発呼ユーザーの異なる要求を満足することができ、その操作も便利で、簡単である。
【発明を実施するための最良の形態】
【００１９】
以下、図面及び具体的な実施例を結合して、本発明に対して詳しく説明する。
本発明において、発呼端末と着呼端末が同一のネットワークに属する場合、発呼側と着呼側に対して、上記ネットワーク・設備は一つでもよいし、異なるネットワーク・設備でもよい。一つのネットワークである場合の、その具体的な実施例1のフローチャートは、図3を参照されたし。
【００２０】
ステップ100：発呼ユーザーは、少なくとも現在通信サービス・クラスに対するユーザーの要求情報が含まれている発呼要求を発信する；
ステップ101：ネットワーク・設備は、当該発呼要求を受信して、発呼要求中の現在通信サービス・クラスに対する要求情報を検出する；
ステップ102：発呼側のユーザー-ネットワーク・インタフェースに、通信サービス・クラス化を提供する能力を備えるかどうかを判断し、備える場合、ステップ103を実行し；備えない場合、ネットワーク・設備は、現在通信サービス・クラスの要求情報に対して応答せず、ステップ105を実行する；
ステップ103：現在通信サービス・クラスの要求情報とネットワーク資源の使用状況を総合的に分析して、分析結果に従って、現在発呼の通信サービス・クラスに関する策略情報を得て、次のステップを実行する；
ステップ104：上記ネットワーク・設備は、現在発呼の通信サービス・クラスに関する策略情報に従って、発呼側にユーザー-ネットワーク資源を分配して、次のステップを実行する；
ステップ105：発呼端末と着呼端末は、分配されたネットワーク資源に従って、通話接続を行う。
【００２１】
発呼端末により、現在通信サービス・クラスに対する発呼ユーザーの要求を報告する方式は、二種類の実現方式がある。
現在通信サービス・クラスに対する要求を報告する方式1：アクセス番号・プレフィックスを付けてダイヤルする方式：
発呼ユーザーが着呼番号をダイヤルする時、アクセス番号・プレフィックスを付けてダイヤルするかどうか、或いはどのアクセス番号・プレフィックスを付けてダイヤルするかによって、現在通信サービス・クラスに対する当該ユーザーの要求を相応的に報告する。
【００２２】
アクセス番号・プレフィックスを付けてダイヤルする方式にも、二種類の実現方式がある。
実現方式1：アクセス番号・プレフィックスを付けてダイヤルしようとする場合、発呼を発信する毎に、発呼ユーザーにより、着呼番号前にアクセス番号・プレフィックスを一つ一つ手仕事で入力する。
【００２３】
実現方式2：端末に、通信サービス・クラスを配置することができるメニュー或いはボタンを設置し、ユーザーは、当該メニュー或いはボタンを利用して現在の通信サービス・クラスを設置する。設置した後では、発呼ユーザーが発呼を発信する毎に、アクセス番号・プレフィックスを付けてダイヤルするかどうか、或いはどのアクセス番号・プレフィックスを付けてダイヤルするかに対しては、端末により、ユーザーが行った現在通信サービス・クラスに対する設置に従って判断する。もし、発呼ユーザーから設置した現在通信サービス・クラスが、あるアクセス番号・プレフィックスを付けてダイヤルすることが必要する場合、端末により自動的に付けてダイヤルする。もし、ユーザーが現在通信サービス・クラスに対する要求を変化しようとする場合、端末においての当該メニュー或いはボタンを通じて、ユーザーにより現在通信サービス・クラスに対して再び設置する。
【００２４】
現在通信サービス・クラスに対する要求を報告する方式2：ユーザー-ネットワーク・インタフェースにおいてのインタフェース・シグナリング（interface signaling）報告方式
端末に通信サービス・クラスを配置することができるメニュー或いはボタンを設置し、ユーザーは、当該メニュー或いはボタンを利用して現在の通信サービス・クラスを設置する。一回目に設置した後、或いは毎度現在設置を変更した後、端末により、ユーザー-ネットワーク・インタフェースにおいてのインタフェース・シグナリングを通じて、発呼側のネットワーク・設備に現在通信サービス・クラスに対するユーザーの要求を報告する。現在通信サービス・クラスに対する発呼ユーザーの要求は、ユーザー-ネットワーク・インタフェースにおいてのインタフェース・シグナリング中のパラメータ値により体現される。
【００２５】
その中で、現在の発呼に資源を分配するための現在発呼の通信サービス・クラスに関する策略情報には、発呼が受入れる優先度、或いは、ボイス又はビデオ・メディアのコードレート、或いは、通信パケットの転送優先度、或いは、廃棄順序、或いは、上記各情報の何れの組み合わせが含まれている。
【００２６】
なお、発呼側のユーザー-ネットワーク・インタフェースに、通信サービス・クラスを提供する能力を備えないと判断した場合、ステップ105を実行する前に、着呼側のユーザー-ネットワーク・インタフェースに、通信サービス・クラスを提供する能力を備えているかどうかを判断することができ、これを判断する時、具体的に実施例2のように、そのフローチャートは図4に示し、実施例1と違うことは、下記のステップを増加したことである。
【００２７】
ステップ102a：着呼側のユーザー-ネットワーク・インタフェースに、通信サービス・クラスを提供する能力を備えているかどうかを判断し、備える場合、ステップ102ｂを実行し、備えない場合、ネットワーク・設備は、現在通信サービス・クラスの要求情報に対して応答せず、ステップ105を実行する；
ステップ102ｂ：現在通信サービス・クラスの要求情報とネットワーク資源の使用状況を総合的に分析して、分析結果に従って、現在発呼の通信サービス・クラスに関する策略情報を得て、次のステップを実行する；
ステップ102ｃ：上記ネットワーク・設備は、現在発呼の通信サービス・クラスに関する策略情報に従って、発呼側にユーザー-ネットワーク資源を分配して、ステップ105を実行する。
【００２８】
ネットワーク・設備が異なるネットワーク・設備である場合、即ち、発呼側のネットワーク・設備及び着呼側のネットワーク・設備に分かれる場合、その具体的な実施例3のフローは、図5に示している。
【００２９】
ステップ200：発呼ユーザーは、少なくとも現在通信サービス・クラスに対するユーザーの要求情報が含まれている発呼要求を発信する；
ステップ201：発呼側のネットワーク・設備は、当該発呼要求を受信して、発呼要求中の現在通信サービス・クラスの要求情報を検出する；
ステップ202：発呼側のユーザー-ネットワーク・インタフェースに、通信サービス・クラス化を提供する能力を備えるかどうかを判断し、備える場合、ステップ203を実行し；備えない場合、ステップ2021或いはステップ205を実行する；
ステップ203：現在通信サービス・クラスの要求情報とネットワーク資源の使用状況を総合的に分析して、分析結果に従って、現在発呼の通信サービス・クラスに関する策略情報を得て、次のステップを実行する；
ステップ204：上記発呼側のネットワーク・設備は、現在発呼の通信サービス・クラスに関する策略情報に従って、発呼側にユーザー-ネットワーク資源を分配して、ステップ2021或いはステップ205を実行する；
ステップ2021：上記発呼側のネットワーク・設備は、発呼側のネットワークと着呼側のネットワーク間のネットワーク-ネットワーク・インタフェースに通信サービス・クラス業務のインターオペラビリティ（Interoperability）を備えるかどうかを判断し、備える場合、ステップ2022を実行し、且つ着呼側のネットワーク・設備に現在通信サービス・クラスの要求情報を送信し；備えない場合、ステップ20211或いはステップ205を実行する；
ステップ2022：上記発呼側のネットワーク・設備は、現在通信サービス・クラスの要求情報とネットワーク資源の使用状況を総合的に分析して、分析結果に従って、現在発呼の通信サービス・クラスに関する策略情報を得る；
ステップ2023：上記発呼側のネットワーク・設備は、現在発呼の通信サービス・クラスに関する策略情報に従って、ネットワーク-ネットワーク資源を分配して、ステップ20211或いはステップ205を実行する；
ステップ20211：上記着呼側のネットワーク・設備は、着呼側のユーザー-ネットワーク・インタフェースに、通信サービス・クラスを提供する能力を備えるかどうかを判断し、備える場合、ステップ20212を実行し；備えない場合、ステップ205を実行する；
ステップ：20212：上記着呼側のネットワーク・設備は、現在通信サービス・クラスの要求情報とネットワーク資源の使用状況を総合的に分析して、分析結果に従って、現在発呼の通信サービス・クラスに関する策略情報を得る；
ステップ20213：上記着呼側のネットワーク・設備は、現在発呼の通信サービス・クラスに関する策略情報に従って、着呼側にユーザー-ネットワーク資源を分配して、ステップ205を実行する；
ステップ205：発呼端末と着呼端末は、分配されたネットワーク資源に従って、通話接続を行う。
【００３０】
上記フローにおいて、ステップ202だけで判断することができ、或いは、ステップ202、ステップ2021で判断することができ、或いは、ステップ202、2021、20211で判断することができる。これは、具体的なネットワーク状況に応じて決めることができる。
【００３１】
係る発呼端末と着呼端末が異なるネットワークに属する場合、発呼側に発呼側の設備があり、着呼側に着呼側の設備がある。本発明において、ワイヤレス・アクセス・ネットワーク、及びパケット・ネットワークに基づいてキャリアした通信ネットワークを例として、詳しく説明する。
【００３２】
図6を参照する。本発明に係る実施例4である、ワイヤレス・アクセス・ネットワークに応用したフローチャートである。ワイヤレス・アクセス・ネットワークにおいて、発呼端末は、ユーザー-ネットワーク・インタフェースを通じて発呼側のワイヤレス・アクセス・ネットワーク・設備と通信し；発呼側のワイヤレス・アクセス・ネットワーク・設備は、発呼側のコア・ネットワーク/スイッチド・ネットワーク・設備とワイヤレス通信し；発呼側のコア・ネットワーク/スイッチド・ネットワーク・設備は、ネットワーク-ネットワーク・インタフェースを通じて、着呼側のコア・ネットワーク/スイッチド・ネットワーク・設備と通信し；着呼側のコア・ネットワーク/スイッチド・ネットワーク・設備は、着呼側のワイヤレス・アクセス・ネットワーク・設備とワイヤレス通信し；着呼側のワイヤレス・アクセス・ネットワーク・設備は、ユーザー-ネットワーク・インタフェースを通じて着呼端末と通信する。
【００３３】
本発明に係る方法は、下記のステップにより完成する。
ステップ300：発呼ユーザーは、発呼側のコア・ネットワーク/スイッチド・ネットワーク・設備に発呼要求を発信し、上記発呼要求には、少なくとも現在通信サービス・クラスに対するユーザーの要求情報が含まれている；
ステップ301：発呼側のコア・ネットワーク/スイッチド・ネットワーク・設備は、当該発呼要求を受信して、当該現在通信サービス・クラスの要求情報を検出する；
ステップ302：現在通信サービス・クラスに対する発呼ユーザーの要求情報及びネットワーク資源の使用状況及び発呼端末の支援能力を総合的に分析して、現在発呼の通信サービス・クラスに関する策略情報を得る；
ステップ303：発呼側に通信サービス・クラスを提供する能力を備えいる場合、発呼側のコア・ネットワーク/スイッチド・ネットワーク・設備は、発呼側のワイヤレス・アクセス・ネットワーク・設備に、現在発呼の通信サービス・クラスに関する策略情報を通知する；
ステップ304：発呼側のワイヤレス・アクセス・ネットワーク・設備は、現在発呼の通信サービス・クラスに関する策略情報に従って、発呼端末に現在発呼と相応するネットワーク資源を分配する；
ステップ305：発呼側のコア・ネットワーク/スイッチド・ネットワーク・設備は、着呼側のコア・ネットワーク/スイッチド・ネットワーク・設備に、現在発呼の通信サービス・クラスの要求情報を通知すると同時に、発呼接続指令を送信する；
ステップ306：着呼側のコア・ネットワーク/スイッチド・ネットワーク・設備は、当該現在通信サービス・クラスの要求情報を検出する；
ステップ307：現在通信サービス・クラスに対する発呼ユーザーの要求及びネットワーク資源の使用状況及び着呼端末の支援能力を総合的に分析して、現在発呼の通信サービス・クラスに関する策略情報を得る；
ステップ308：着呼側に通信サービス・クラスを提供する能力を備えている場合、着呼側のコア・ネットワーク/スイッチド・ネットワーク・設備は、着呼側のワイヤレス・アクセス・ネットワーク・設備に、現在発呼の通信サービス・クラスに関する策略情報を通知する；
ステップ309：着呼側のワイヤレス・アクセス・ネットワーク・設備は、現在発呼の通信サービス・クラスに関する策略情報に従って、着呼端末に、相応するネットワーク資源を分配する。
【００３４】
上記ステップを通じて、発呼と着呼間の通話接続を行う。
なお、ステップ302において、発呼端末に通信サービス・クラスの要求を支援する能力を備えないと分析された場合、発呼側のネットワーク・設備は、発呼側のネットワークと着呼側のネットワーク間のネットワーク-ネットワーク・インタフェースに、通信サービス・クラス業務のインターオペラビリティを備えるかどうかを判断し、備える場合、現在通信サービス・クラスの要求情報及びネットワーク資源の使用状況を総合的に分析して、分析結果に従って、現在発呼の通信サービス・クラスに関する策略情報を得て、着呼側のネットワーク・設備に、現在通信サービス・クラスの要求情報を送信する。上記発呼側のネットワーク・設備は、現在発呼の通信サービス・クラスに関する策略情報に従って、ネットワーク-ネットワーク資源を分配する。
【００３５】
発呼端末が、現在通信サービス・クラスに対する発呼ユーザーの要求を報告する方式は、二種類の実現方式があり、上記実施例1、2、3と同じものであるので、ここでその説明を省略する。
【００３６】
なお、発呼側のコア・ネットワーク/スイッチド・ネットワーク・設備が、着呼側のコア・ネットワーク/スイッチド・ネットワーク・設備に、現在発呼の通信サービス・クラスの要求情報を通知する方式は、二種類がある。
【００３７】
方式1：着呼番号前に、アクセス番号・プレフィックスを付ける方式
発呼側のネットワーク・設備が、着呼側のネットワーク・設備に、着呼番号を転送する時、着呼番号前に、アクセス番号・プレフィックスを付け、或いはどの一つのアクセス番号・プレフィックスを付けることにより、通信サービス・クラスに対する現在発呼の要求を相応的に通知する。
【００３８】
方式2：ネットワーク-ネットワーク・インタフェースにおいてのインタフェース・シグナリングの通知方式
発呼接続過程において、発呼側のネットワーク・設備は、ネットワーク-ネットワーク・インタフェースにおいてのインタフェース・シグナリングを通じて、着呼側のネットワーク・設備に、現在発呼の通信サービス・クラスを通知する。
【００３９】
現在発呼の通信サービス・クラスは、ネットワーク-ネットワーク・インタフェースにおいてのインタフェース・シグナリングのパラメータ値に体現される。
【００４０】
本実施例から分かるように、発呼ユーザーが、発呼端末を通じて現在発呼の通信サービス・クラスの情報を送信すると、発呼ユーザーの上記ネットワークのネットワーク・設備は、現在のネットワーク資源状況、及び発呼端末と着呼端末の支援能力に従って、発呼ユーザーに相応するネットワーク資源を分配することができ、異なる通信サービス・クラス業務を実現することができる。それに、発呼ユーザーは、自分の必要に従って、いつでも、何れのクラスの通信サービスを選択することができ、その操作も敏捷円滑である。
【００４１】
図7を参照する。本発明をパケット・ネットワークに基づいてキャリアした通信ネットワークに応用した実施例5のフローチャートである。
【００４２】
本実施例において、例えばIPネットワーク或いはATMネットワークであるパケット・ネットワークに基づいてキャリアした通信ネットワークのネットワーク応用情景に対して、発呼端末は、ユーザー−ネットワーク・インタフェースを通じて、発呼側のネットワーク・設備と通信し、発呼側のネットワーク・設備は、ネットワーク-ネットワーク・インタフェースを通じて、着呼側のネットワーク・設備と通信し、着呼側のネットワーク・設備は、ユーザー-ネットワーク・インタフェースを通じて、着呼端末と通信し、本発明に係る方法の具体的な過程は下記の通りである。
【００４３】
ステップ400：発呼ユーザーは、発呼側のネットワーク・設備に発呼要求を発信し、上記発呼要求には、少なくとも現在通信サービス・クラスに対するユーザーの要求情報が含まれている；
ステップ401：発呼側のネットワーク・設備は、当該発呼要求を受信して、当該現在通信サービス・クラスの要求情報を検出し、発呼側のユーザー-ネットワーク・インタフェースに通信サービス・クラス化を提供する能力を備えているかを判断し、備える場合、次のステップを実行する；
ステップ402：現在通信サービス・クラスに対する発呼ユーザーの要求及びネットワーク資源の使用状況を総合的に分析して、現在発呼の通信サービス・クラスに関する策略情報を得る；
ステップ403：現在発呼の通信サービス・クラスに関する策略情報に従って、発呼側に、相応するユーザー-ネットワーク資源を分配する；
ステップ404：発呼側のネットワーク・設備は、着呼側のネットワーク・設備に、現在発呼の通信サービス・クラスの要求情報を通知すると同時に、発呼接続指令を送信する；
ステップ405：着呼側のネットワーク・設備は、当該現在通信サービス・クラスの要求情報を検出し、着呼側のユーザー-ネットワーク・インタフェースに、通信サービス・クラスを提供する能力を備えているかを判断し、備える場合、次のステップを実行する；
ステップ406：現在通信サービス・クラスに対する発呼ユーザーの要求及びネットワーク資源の使用状況を総合的に分析して、現在発呼の通信サービス・クラスに関する策略情報を得る；
ステップ407：着呼側のネットワーク・設備は、現在発呼の通信サービス・クラスに関する策略情報に従って、着呼側に、相応するユーザー-ネットワーク資源を分配する。
【００４４】
上記ステップを通じて、発呼端末と着呼端末間の通話接続を行う。
その中で、ステップ40において、発呼側のユーザー-ネットワーク・インタフェースに通信サービス・クラスを提供する能力を備えているかどうかを判断することは、もし備えない場合、二つのフローを実行することができ、その一つは、ステップ402、403を実行せずに、直接にステップ404を実行する；もう一つは、発呼側のネットワークと着呼側のネットワーク間のネットワーク-ネットワーク・インタフェースに、通信サービス・クラス業務のネットワーク間のインターオペラビリティを備えるかどうかを更に判断し、備える場合、現在通信サービス・クラスの要求情報及びネットワーク資源の使用状況を総合的に分析して、分析結果に従って現在発呼の通信サービス・クラスに関する策略情報を得る；上記発呼側のネットワーク・設備は、現在発呼の通信サービス・クラスに関する策略情報に従って、ネットワーク-ネットワーク資源を分配した後、ステップ404を実行する；もし備えない場合、発呼側のネットワーク・設備は、当該現在通信サービス・クラスの要求情報に対して応答せず、或いはステップ404を実行することである。
【００４５】
なお、発呼端末が、現在通信サービス・クラスに対する発呼ユーザーの要求を報告する方式は、実施例1、2、3と同じものであるので、ここでその説明を省略する。
【００４６】
発呼側のネットワーク・設備が、着呼側のネットワーク・設備に、現在発呼の通信サービス・クラスを報告する方式は、実施例4と同じものであるので、ここでその説明を省略する。
【００４７】
以上の技術案を分析することにより分かるように、通信サービス・クラス能力を有する各種のネットワーク分野において、本発明に係る方法は、その応用範囲が広く。例えば、下記のような応用範囲がある。
【００４８】
1. IPソフトスイッチのタンデム・ネットワーク（softswitch tandem networks）への応用
異なる遠距離アクセス・コードを付けてダイヤルすることにより、発呼ユーザーは、今回の遠距離通話の通信サービス・クラスを選択することができる。BICC(Bearer Independent Call Control,キャリア独立発呼コントロールプロトコル)プロトコルに基いたIPソフトスイッチのタンデム・ネットワークに応用することもでき、SIP/SIP-Tプロトコルに基いたIPソフトスイッチのタンデム・ネットワークに応用することもできる。
【００４９】
2.固定IPソフトスイッチ・ネットワーク/固定NGN(Next Generation Network, 次世代ネットワーク)への応用
異なる業務アクセス・コードを付けてダイヤルし、或いはNGNユーザー側の設備により異なるサービス・クラス・タッグを設置することを通じて、発呼ユーザーは、VoIP（Voice over IP、ボイスオーバーアイピー）通信サービスのクラスを選択することができる。即ち、SIPプロトコル或いはＨ248プロトコルに基いてアクセスする固定IPソフトスイッチ・ネットワークに応用することができる。
【００５０】
3.  3GPP(The 3rd Generation Partnership Project, 第3世代移動体通信システム標準化プロジェク)IMS(IP Multimedia Sub-System, IPマルチ・メディア・サブシステム)への応用
異なる業務アクセス・コードを付けてダイヤルし、或いはIMS端末により異なるサービス・クラス・タッグを設置することを通じて、発呼ユーザーは、今回SIP（Session Initiation Protocol, セッション・イニシエーション・ プロトコル）通信サービスのクラスを選択することができる。
【００５１】
4.GSM或いはWCDMA(Wideband Code Division Multiple Access, 広帯域符号分割多重接続)或いはCDMA(Code Division Multiple Access, 符号分割多重接続)或いは WiFi（ワイヤレスLAN）電話、或いはWiMax(Worldwide Interoperability for Microwave Access, 世界的インターオペラビリティ・無線アクセス・システム)電話の異なる通話クラスに応用することができる。異なる業務アクセス・コードをダイヤルする或いはCDMA端末、WCDMA端末、WiFi端末、WiMax端末により異なる現在サービス・クラス・タッグを設置することにより、発呼ユーザーは、CDMA通話、WCDMA通話、WiFi電話通話或いはWiMax電話通話の通信サービス・クラスを選択することができる。
【００５２】
最後に説明すべきものは、上記実施例は本発明に係る技術を説明するだけのものであり、本発明に係る技術案を限定するものではない。上記具体的な実施形態を挙げて、本発明に対して説明したが、当業者であれば、本発明の技術形態に対して各種態様の修正或いは交替を行うことができ、本発明の技術形態の精神及び範囲を離脱しない技術及びその改良は、本発明の技術的範囲に属することは明白である。
【図面の簡単な説明】
【００５３】
【図１】従来技術に係るフローチャートである。
【図２】他の従来技術に係るフローチャートである。
【図３】本発明に係る実施例1のフローチャートである。
【図４】本発明に係る実施例2のフローチャートである。
【図５】本発明に係る実施例3のフローチャートである。
【図６】本発明をワイヤレス・アクセス・ネットワークに応用したフローチャートである。
【図７】本発明をパケット・ネットワークに基づいてキャリアした通信ネットワークに応用したフローチャートである。
【図１】
2008533768.tif 000003
【図２】
2008533768.tif 000004
【図３】
2008533768.tif 000005
【図４】
2008533768.tif 000006
【図５】
2008533768.tif 000007
【図６】
2008533768.tif 000008
【図７】
2008533768.tif 000009
【国際調査報告】
2008533768.tif 000010
2008533768.tif 000011
2008533768.tif 000012
2008533768.tif 000013
2008533768.tif 000014
2008533768.tif 000015